(57)【要約】 【課題】  大きさに関係なく表示パネルを均一に照射することができる拡散板の支持構造を提供する。【解決手段】  バックライト装置１においてハウジング２の開口縁部２４は拡散板４の周縁部４１を支持しており、拡散板４の支持構造の第一の支持手段を構成している。一方、第二の支持手段５は、両端側が拡散板４の周縁部４１以外の一般部４２とハウジング２の後壁２１とに固定されて一般部４２を後方から支持しており、ハウジング２内で前後から嵌合して結合した前側部分６と後側部分７とから構成されている。【選択図】  図１
2006048038.tif 000002
【特許請求の範囲】
【請求項１】
表示パネルの背面と対向するハウジングの開口部を塞ぐように配置され、前記ハウジング内に設けられた蛍光管から発せられる光を拡散して前記表示パネルの背面に照射する拡散板の支持構造において、
前記拡散板の周縁部を支持する第一の支持手段と、
前記拡散板の前記周縁部以外の一般部を支持する第二の支持手段とを備え、
この第二の支持手段は、両端側が前記一般部とこれに対向する前記ハウジングの後壁とに固定されて前記一般部を後方から支持するとともに、前記ハウジング内で前後から結合した前側部分と後側部分とから構成されたことを特徴とする拡散板の支持構造。
【請求項２】
前記第二の支持手段に、前記前側部分から前記後側部分にかけて前記蛍光管を嵌通させる嵌通穴を設け、前記第二の支持手段はこの嵌通穴に前記蛍光管を嵌通させた状態で前記拡散板の前記一般部を後方から支持したことを特徴とする請求項１記載の拡散板の支持構造。
【請求項３】
前記第二の支持手段の前記前側部分と前記後側部分は嵌合して結合されたことを特徴とする請求項１記載の拡散板の支持構造。
【請求項４】
前記第二の支持手段の前記前側部分は、
前記拡散板の前記一般部に設けられた挿通穴と、
この挿通穴を挟んで前記一般部に相対向して設けられた一対の挿通穴と、
前記挿通穴に挿通されて後端側が前記第二の支持手段の前記後側部分に結合した結合部と、
この結合部の前端側に結合して前記一般部の前面に固定された固定部と、
前記一対の挿通穴にそれぞれ挿通されて前端側が前記固定部に結合するとともに後端側が前記一般部の後面に固定された一対のアームと、
を備えたことを特徴とする請求項１記載の拡散板の支持構造。
【請求項５】
前記第二の支持手段の前記前側部分は、前記固定部が前記一般部の前面に面接するように形成されているとともに、前記一対のアームの前記後端側が前記一般部の後面に面接するように形成されたことを特徴とする請求項４記載の拡散板の支持構造。
【請求項６】
前記第二の支持手段の前記後側部分は、
前記ハウジングの前記後壁に設けられた挿通穴と、
この挿通穴を挟んで前記後壁に相対向して設けられた一対の挿通穴と、
前記挿通穴に挿通されて前端側が前記第二の支持手段の前記前側部分に結合した結合部と、
この結合部の後端側に結合して前記後壁の後面に固定された固定部と、
前記一対の挿通穴にそれぞれ挿通されて後端側が前記固定部に結合するとともに前端側が前記後壁の前面に固定された一対のアームと、
を備えたことを特徴とする請求項１記載の拡散板の支持構造。
【請求項７】
前記第二の支持手段の前記後側部分は、前記固定部が前記後壁の後面に面接するように形成されているとともに、前記一対のアームの前記前端側が前記後壁の前面に面接するように形成されたことを特徴とする請求項６記載の拡散板の支持構造。
【請求項８】
表示パネルの背面と対向するハウジングの開口部を塞ぐように配置され、前記ハウジング内に設けられた蛍光管から発せられる光を拡散して前記表示パネルの背面に照射する拡散板の支持構造において、
前記拡散板の周縁部を支持する第一の支持手段と、
前記拡散板の前記周縁部以外の一般部を支持する第二の支持手段とを備え、
この第二の支持手段は、両端側が前記一般部とこれに対向する前記ハウジングの後壁とに固定されて前記一般部を後方から支持するとともに、前記ハウジング内で前後から結合した前側部分と後側部分とから構成され、
前記前側部分は、
前記拡散板の前記一般部に設けられた挿通穴と、
この挿通穴に挿通されて後端側が前記後側部分に結合した結合部と、
この結合部の前端側に結合して前記一般部の前面に固定された固定部とを備え、
前記結合部の後端側は、前記蛍光管の一方側を嵌通させるように後方へ開口した断面略コ字状に形成されている一方、
前記後側部分は、
前記ハウジングの前記後壁に設けられた挿通穴と、
この挿通穴に挿通されて前端側が前記前側部分に結合した結合部と、
この結合部の後端側に結合して前記後壁の後面に固定された固定部とを備え、
前記後側部分の前記結合部の前端側は、前記蛍光管の他方側を嵌通させるように前方へ開口した断面略コ字状に形成され、
前記前側部分の前記結合部と前記後側部分の前記結合部は結合した状態で前記蛍光管を嵌通させる嵌通穴を形成しているとともに、前記第二の支持手段は、この嵌通穴に前記蛍光管を嵌通させて前記拡散板の前記一般部を支持したことを特徴とする拡散板の支持構造。
【発明の詳細な説明】
【技術分野】
【０００１】
本発明は、例えば液晶ディスプレイ等に使用されるバックライト装置において、蛍光管から発せられる光を拡散して表示パネルの背面に照射する拡散板の支持構造に関する。
【背景技術】
【０００２】
液晶ディスプレイは、テレビやコンピュータ等のビデオディスプレイ装置として用いられており、光の透過を制御して画面上に文字や画像等を表示するものである。そして液晶ディスプレイは、他のディスプレイに比べて、解像度、カラー表示、画質の点で優れていることから特にフラット型のディスプレイ装置として用いられている。
【０００３】
また液晶ディスプレイは、表示を行う液晶自体に発光能力がないことから光源として表示パネルの背面側にバックライト装置が設けられている。このバックライト装置には一般的に冷陰極蛍光管が使用されており、このバックライト装置から発せられる光を液晶が通すか通さないか制御することで表示を行っている。したがって、バックライトによる照射が充分で且つ均一の場合には画質が最適なものになり、照射が不十分または不均一の場合には画質が低下することになる。
【０００４】
一方、ビデオディスプレイ産業においては、技術進歩により大型ディスプレイの生産が可能になってきている。これに伴い、明るさが均一なディスプレイを市場に提供することがますます困難になってきており、また重要になってきている。
【０００５】
液晶ディスプレイの場合について説明すると、液晶ディスプレイに用いられるバックライト装置は、表示パネルの背面と対向して設けられたハウジングと、ハウジング内に設けられた蛍光管と、ハウジングの前面側に設けられた拡散板とを備えている（特許文献１参照）。
【０００６】
ハウジングは前面が開口した容器状に形成されており、内部には蛍光管から発せられた光を拡散板へ反射させる反射面が形成されている。一方、拡散板はハウジングの前面に設けられた開口部を塞ぐように形成されており、ハウジングで反射された蛍光管の反射光や直射光を拡散させて表示パネルを照射するように構成されている。またバックライト装置の中には、拡散板の前面に拡散シートが設けられたものや、さらに拡散シートの前面にプリズムシートが設けられたものが知られている。
【特許文献１】特開２００５−１７４９１０号公報
【発明の開示】
【発明が解決しようとする課題】
【０００７】
しかしながら拡散板は周縁部だけがハウジングに支持されていることから、表示パネルの大型化に伴って拡散板が大きくなると自重で周縁部以外の部分が撓んでしまうため、表示パネルを均一に照射できず、表示パネルの画質が低下してしまう問題があった。
【０００８】
本発明は、かかる従来の課題に鑑みてなされたものであり、大きさに関係なく表示パネルを均一に照射することができる拡散板の支持構造を提供することを目的とする。
【課題を解決するための手段】
【０００９】
前記課題を解決するために本発明の拡散板の支持構造においては、表示パネルの背面と対向するハウジングの開口部を塞ぐように配置され、前記ハウジング内に設けられた蛍光管から発せられる光を拡散して前記表示パネルの背面に照射する拡散板の支持構造において、前記拡散板の周縁部を支持する第一の支持手段と、前記拡散板の前記周縁部以外の一般部を支持する第二の支持手段とを備え、この第二の支持手段は、両端側が前記一般部とこれに対向する前記ハウジングの後壁とに固定されて前記一般部を後方から支持するとともに、前記ハウジング内で前後から結合した前側部分と後側部分とから構成されたことを特徴としている。
【００１０】
また本発明の拡散板の支持構造においては、前記第二の支持手段に、前記前側部分から前記後側部分にかけて前記蛍光管を嵌通させる嵌通穴を設け、前記第二の支持手段はこの嵌通穴に前記蛍光管を嵌通させた状態で前記拡散板の前記一般部を後方から支持したことを特徴としている。
【００１１】
また本発明の拡散板の支持構造においては、前記第二の支持手段の前記前側部分と前記後側部分は嵌合して結合されたことを特徴としている。
【００１２】
また本発明の拡散板の支持構造においては、前記第二の支持手段の前記前側部分は、前記拡散板の前記一般部に設けられた挿通穴と、この挿通穴を挟んで前記一般部に相対向して設けられた一対の挿通穴と、前記挿通穴に挿通されて後端側が前記第二の支持手段の前記後側部分に結合した結合部と、この結合部の前端側に結合して前記一般部の前面に固定された固定部と、前記一対の挿通穴にそれぞれ挿通されて前端側が前記固定部に結合するとともに後端側が前記一般部の後面に固定された一対のアームと、を備えたことを特徴としている。
【００１３】
また本発明の拡散板の支持構造においては、前記第二の支持手段の前記前側部分は、前記固定部が前記一般部の前面に面接するように形成されているとともに、前記一対のアームの前記後端側が前記一般部の後面に面接するように形成されたことを特徴としている。
【００１４】
また本発明の拡散板の支持構造においては、前記第二の支持手段の前記後側部分は、前記ハウジングの前記後壁に設けられた挿通穴と、この挿通穴を挟んで前記後壁に相対向して設けられた一対の挿通穴と、前記挿通穴に挿通されて前端側が前記第二の支持手段の前記前側部分に結合した結合部と、この結合部の後端側に結合して前記後壁の後面に固定された固定部と、前記一対の挿通穴にそれぞれ挿通されて後端側が前記固定部に結合するとともに前端側が前記後壁の前面に固定された一対のアームと、を備えたことを特徴としている。
【００１５】
また本発明の拡散板の支持構造においては、前記第二の支持手段の前記後側部分は、前記固定部が前記後壁の後面に面接するように形成されているとともに、前記一対のアームの前記前端側が前記後壁の前面に面接するように形成されたことを特徴としている。
【００１６】
また本発明の拡散板の支持構造においては、表示パネルの背面と対向するハウジングの開口部を塞ぐように配置され、前記ハウジング内に設けられた蛍光管から発せられる光を拡散して前記表示パネルの背面に照射する拡散板の支持構造において、前記拡散板の周縁部を支持する第一の支持手段と、前記拡散板の前記周縁部以外の一般部を支持する第二の支持手段とを備え、この第二の支持手段は、両端側が前記一般部とこれに対向する前記ハウジングの後壁とに固定されて前記一般部を後方から支持するとともに、前記ハウジング内で前後から結合した前側部分と後側部分とから構成され、前記前側部分は、前記拡散板の前記一般部に設けられた挿通穴と、この挿通穴に挿通されて後端側が前記後側部分に結合した結合部と、この結合部の前端側に結合して前記一般部の前面に固定された固定部とを備え、前記結合部の後端側は、前記蛍光管の一方側を嵌通させるように後方へ開口した断面略コ字状に形成されている一方、前記後側部分は、前記ハウジングの前記後壁に設けられた挿通穴と、この挿通穴に挿通されて前端側が前記前側部分に結合した結合部と、この結合部の後端側に結合して前記後壁の後面に固定された固定部とを備え、前記後側部分の前記結合部の前端側は、前記蛍光管の他方側を嵌通させるように前方へ開口した断面略コ字状に形成され、前記前側部分の前記結合部と前記後側部分の前記結合部は結合した状態で前記蛍光管を嵌通させる嵌通穴を形成しているとともに、前記第二の支持手段は、この嵌通穴に前記蛍光管を嵌通させて前記拡散板の前記一般部を支持したことを特徴としている。
【００１７】
したがって要約すると本発明は、ハウジングの前面に設けられた開口部を塞ぐ拡散板の周縁部を支持する第一の支持手段と、周縁部以外の一般部を支持する第二の支持手段とを備えた拡散板の支持構造である。この第二の支持手段は前後から結合される前側部分と後側部分とを備えており、後側部分はハウジングの後壁に設けられた挿通穴を通って延伸して形成され、前側部分は拡散板に設けられた挿通穴を通って延伸して形成されている。また第二の支持手段は複数で拡散板をハウジングの後壁に対して平行に保持し、その内の少なくとも一つがハウジング内の中央に設けられて蛍光管を嵌通させても良い。
【００１８】
さらに詳しく説明すると、剛性を有した一つまたは複数の支持手段は、拡散板をハウジングとハウジング内に均一に配列された蛍光管に対して平行に保持する。言い換えると、支持手段は、拡散板と蛍光管との間の距離が一定になるように拡散板を平らに保持する。また第二の支持手段は前側部分と後側部分とから構成され、ハウジングの後壁と拡散板の一般部との間で延伸して形成されている。また前側部分または後側部分の少なくとも一つを、後壁や一般部に設けられた挿通穴を通って延伸して固定させたり、前側部分と後側部分とを嵌合させて結合するための凹凸部を設けても良い。また前側部分から後側部分にかけて蛍光管を嵌通させる嵌通穴を設けても良い。この場合には蛍光管が第二の支持手段に支持されて位置が固定されることから蛍光管から発せられる光の向きを常に安定させることができ、表示パネルを安定して照射することができる。
【００１９】
また支持手段を構成する部材としては、商業的に用いられる多種の透光材、例えば、ポリエチレンテレフタレート（ＰＥＴ）、ポリメタクリル酸メチル（ＰＭＭＡ）、その他の適合するアクリル樹脂、光学プラスチック、ガラス、またはその他の適合材料から形成しても良い。
【発明の効果】
【００２０】
本発明の拡散板の支持構造においては拡散板全体を支持するようにしたため、表示パネルの大型化に伴って拡散板が大きくなっても拡散板を平らに保持できる。よって、大きさに関係なく表示パネルを均一に照射することができる。
【発明を実施するための最良の形態】
【００２１】
本発明についての目的、特徴、長所が一層明確に理解されるよう、以下に実施の形態を例示し、図面を参照にしながら、詳細に説明する。
【００２２】
第１の実施の形態：
図１は本発明の第１の実施の形態を示すバックライト装置１の横断面図である。このバックライト装置１は表示パネル１００の背面１００ａ側に設けられており、背面１００ａと対向して設けられたハウジング２と、このハウジング２内に設けられた複数の蛍光管３と、ハウジング２の前面に設けられた拡散板４と、拡散板４を支持する本発明の第二の支持手段５とを備えている。
【００２３】
ハウジング２はアルミニウムを用いて前面が開口した容器状に形成されている。なおハウジング２はアルミニウムだけでなくその他の剛性材を用いて形成しても良い。そしてハウジングは、拡散板４と対向した後壁２１と、後壁２１の周縁から拡散板４へ延出した側壁２２とから構成されている。
【００２４】
後壁２１は、内面（前面）２１１が平坦状に形成されているとともに、蛍光管３から発される全ての光を拡散板４へ反射させるようにアルミニウムを磨いて鏡面状に形成されている。一方、側壁２２は、前端部がハウジング２の開口縁部２４を構成している。この開口縁部２４は拡散板４の周縁部４１を支持するように形成されており、本発明の第一の支持手段を構成している。また側壁２２の内面２２１は、蛍光管３から発される全ての光を拡散板４へ反射させるようにアルミニウムを磨いて鏡面状に形成されている。
【００２５】
また各蛍光管３は細長く形成された冷陰極蛍光管であり、ハウジング２の後壁２１と平行且つ並列に配置されている。なお蛍光管は冷陰極蛍光管以外の蛍光管でも良い。
【００２６】
また拡散板４は、周知の材料、例えばポリメタクリル酸メチル（ＰＭＭＡ）、ポリカーボネート（ＰＣ）、その他の光学プラスチックやガラスを用いてハウジング２の開口部２３を塞ぐように形成されており、周縁部４１がハウジング２の開口縁部２４に支持されている。そして拡散板４は、ハウジング２で反射された蛍光管３の反射光や蛍光管３からの直射光を拡散させて表示パネル１００の背面１００ａに照射する照射光２００を形成するように構成されている。
【００２７】
また第二の支持手段５は、両端側が、拡散板４の周縁部４１以外を構成する一般部４２とこれに対向するハウジング２の後壁２１とに固定されて一般部４２を後方から支持しており、ハウジング２内で前後から嵌合して結合した前側部分６と後側部分７とから構成されている。
【００２８】
前側部分６と後側部分７の構成部材は、商業的に用いられる多種の透光材、例えば、ポリエチレンテレフタレート（ＰＥＴ）、ポリメタクリル酸メチル（ＰＭＭＡ）、その他の適合するアクリル樹脂、光学プラスチック、ガラス、またはその他の適合材料から形成されている。
【００２９】
そして前側部分６は拡散板４と一体形成されており、さらに拡散板４から後方へ突出して形成されている。なおこの前側部分６を拡散板４とは別に形成して拡散板４に結合するようにしても良い。
【００３０】
一方、後側部分７は、ハウジング２の後壁２１に設けられた挿通穴７１と、挿通穴７１を挟んで後壁２１に左右に相対向して設けられた一対の挿通穴７２、７２と、これらの挿通穴７２、７２、７２に挿通されて後壁２１に固定された後側部材とから構成されている。
【００３１】
この後側部材は、挿通穴７１に挿通されて前端側が前側部分６に結合した結合部７３と、結合部７３の後端側に結合して後壁２１の後面２１２に固定された固定部７４と、一対の挿通穴７２、７２にそれぞれ挿通されて後端側が固定部７４に結合するとともに前端側が後壁２１の前面（内面）２１１に固定された一対のアーム７５、７５とを備えている。
【００３２】
結合部７３は、前端側において左右側に一対のリブ７３１、７３１が前方へ突出形成されており、これによって結合部７３の前端には嵌合穴７３２が形成されている。この嵌合穴７３２は前側部分６の後端側が嵌合するように形成されており、この嵌合によって前側部分６と後側部分７とが結合されている。
【００３３】
また固定部７４は後壁２１の後面２１２に面接するように平板状に形成されている。また一対のアーム７５、７５も、前端側７５１、７５１が後壁２１の前面２１１に面接するように平板状に形成されている。
【００３４】
かかる構成においては、第一の支持手段であるハウジング２の開口縁部２４と第二の支持手段５とにより拡散板４全体を支持している。このため、表示パネル１００の大型化に伴って拡散板４が大きくなっても拡散板４を平らに保持でき、均一な照射光２００を形成することができる。よって、本実施の形態の拡散板４の支持構造においては、大きさに関係なく表示パネル１００を均一に照射することができる。またこの結果、表示パネル１００の大型化に伴う画質低下を防ぐことができる。また支持手段５の構成部材は透光材で形成されているので、蛍光管３から発せられた光が支持手段５で妨げられてしまうことがなく、表示パネル１００に対して均一な照射を確実に行うことができる。
【００３５】
第２の実施の形態：
図２は本発明の第２の実施の形態を示すバックライト装置１０１の要部横断面図である。本実施の形態では第１の実施の形態と同じ部分には同じ符号を付し、異なる部分を中心に説明する。本実施の形態では、第二の支持手段８が、ハウジング２内で前後から面接して結合した前側部分９と後側部分１０とから構成されており、これらを構成する部材は第１の実施の形態で説明したような透光材から形成されている。
【００３６】
そして前側部分９は、拡散板４の一般部４２に設けられた挿通穴９１と、この挿通穴９１を挟んで一般部４２に左右に相対向して設けられた一対の挿通穴９２、９２と、これらの挿通穴９１、９２、９２を挿通されて一般部４２に固定された前側部材とから構成されている。
【００３７】
この前側部材は、挿通穴９１に挿通されて後端側が後側部分１０に結合した結合部９３と、この結合部９３の前端側に結合して一般部４２の前面４２１に固定された固定部９４と、一対の挿通穴９２、９２にそれぞれ挿通されて前端側が固定部９４に結合するとともに後端側が一般部４２の後面４２２に固定された一対のアーム９５、９５とを備えている。
【００３８】
結合部９３は後端側が後方へ開口した断面コ字状に形成されており、断面コ字を形成している凹部９３１は蛍光管１０３の一方側を嵌通させるように形成されている。また固定部９４は一般部４２の前面４２１に面接するように平板状に形成されている。また一対のアーム９５、９５は、後端側９５１、９５１が一般部４２の後面４２２に面接するように平板状に形成されている。
【００３９】
一方、後側部分１０は、ハウジング２の後壁２１に設けられた挿通穴１１１と、挿通穴１１１を挟んで後壁７に左右に相対向して設けられた一対の挿通穴１１２、１１２と、これらの挿通穴１１１、１１２に挿通されて後壁２１に固定された後側部材とから構成されている。
【００４０】
この後側部材は、挿通穴１１１に挿通されて前端側が前側部分９に結合した結合部１１３と、結合部１１３の後端側に結合して後壁２１の後面２１２に固定された固定部１１４と、一対の挿通穴１１２、１１２にそれぞれ挿通されて後端側が固定部１１４に結合するとともに前端側が後壁２１の前面２１１に固定された一対のアーム１１５、１１５とを備えている。
【００４１】
結合部１１３は前端側が前方へ開口した断面コ字状に形成されており、断面コ字を形成している凹部１１３ａは蛍光管１０３の他方側を嵌通させるように形成されている。したがって第二の支持手段８には、この結合部１１３と前側部分の結合部９３とが面接して結合した状態で、両凹部９３１、１１３ａにより蛍光管１０３を嵌通させる嵌通穴８１が形成されており、支持手段８はこの嵌通穴８１に蛍光管１０３を嵌通させて拡散板４の一般部４２を後方から支持している。
【００４２】
また固定部１１４は後壁２１の後面２１２に面接するように平板状に形成されている。また一対のアーム１１５、１１５は、後壁２１から前方且つ外側へ延出したハ字状に形成されているとともに、前端側１１５ａ、１１５ａは後壁２１の前面２１１に面接するように平板状に形成されている。
【００４３】
なお蛍光管１０３は数インチの長さの冷陰極蛍光管であり、支持手段８の両結合部９３、１１３は少なくとも１インチの長さ（上下方向の長さ：図２において表裏方向の長さ）を有している。
【００４４】
かかる構成においては、第一の支持手段であるハウジング２の開口縁部２４（図１参照）と第二の支持手段８とにより拡散板４全体を支持しているため、表示パネル１００（図１参照）の大型化に伴って拡散板４が大きくなっても拡散板４を平らに保持でき、均一な照射光２００（図１参照）を形成することができる。よって、本実施の形態の拡散板４の支持構造においては、表示パネル１００を大きさに関係なく均一に照射することができ、表示パネル１００の大型化に伴う画質低下を防ぐことができる。
【００４５】
さらに第二の支持手段８は、前側部分９と後側部分１０とが面接して結合していることから結合作業を迅速に行うことができる。また、前側部分９と後側部分１０を逆に設定して第二の支持手段８を構成しても良い。また支持手段８の構成部材は透光材で形成されているため、蛍光管１０３から発せられた光が支持手段８で妨げられてしまうことがなく、表示パネル１００に対して均一な照射を確実に行うことができる。
【００４６】
また第二の支持手段８は蛍光管１０３を嵌通させていることから、蛍光管１０３が第二の支持手段８で支持されて位置が固定されるため、蛍光管１０３から発せられる光の向きを常に安定させることができる。よって、表示パネル１００を安定して照射することができる。
【００４７】
第３の実施の形態：
図３は本発明の第３の実施の形態を示すバックライト装置２０１の要部横断面図である。本実施の形態では第１の実施の形態と同じ部分には同じ符号を付し、異なる部分を中心に説明する。本実施の形態では、第二の支持手段１１が、ハウジング２内で前後から面接して結合した前側部分１２と後側部分１３とから構成されている。
【００４８】
前側部分１２は拡散板４と一体形成されている。さらに前側部分１２の後端側は後方へ開口した断面コ字状に形成されており、断面コ字を形成している凹部１２１は蛍光管２０３の一方側を嵌通させるように形成されている。
【００４９】
一方、後側部分１３は、ハウジング２の後壁２１に設けられた挿通穴１３１と、挿通穴１３１を挟んで後壁２１に左右に相対向して設けられた一対の挿通穴１３２、１３２と、これらの挿通穴１３１、１３２、１３２に挿通されて後壁２１に固定された後側部材とから構成されている。
【００５０】
この後側部材は、挿通穴１３１に挿通されて前端側が前側部分１２に結合した結合部１３３と、結合部１３３の後端側に結合して後壁２１の後面２１２に固定された固定部１３４と、一対の挿通穴１３２にそれぞれ挿通されて後端側が固定部１３４に結合するとともに前端側が後壁２１の前面（内面）１１に固定された一対のアーム１３５、１３５とを備えている。
【００５１】
結合部１３３は、前端側が前方へ開口した断面コ字状に形成されており、断面コ字を構成している凹部１３３ａは蛍光管２０３の他方側を嵌通させるように形成されている。したがって第二の支持手段１１には、この結合部１３３と前側部分１２とが面接して結合した状態で、両凹部１２１、１３３ａによって蛍光管２０３を嵌通させる嵌通穴１１ａが形成されており、支持手段１１は、この嵌通穴１１ａに蛍光管２０３を嵌通させて拡散板４の一般部４２を後方から支持している。
【００５２】
また固定部４１は後壁２１の後面２１２に面接するように平板状に形成されている。また一対のアーム１３５、１３５は、後壁２１から前方且つ外側へ延出したハ字状に形成されており、前端側１３５ａ、１３５ａは後壁２１の前面２１１に面接するように断面三角形状に形成されている。
【００５３】
かかる構成においては、第一の支持手段であるハウジング２の開口縁部２４（図１参照）と第二の支持手段１１とにより拡散板４全体を支持しているため、表示パネル１００（図１参照）の大型化に伴って拡散板４が大きくなっても拡散板４を平らに保持でき、均一な照射光２００（図１参照）を形成することができる。よって、本実施の形態の拡散板４の支持構造においては、表示パネル１００を大きさに関係なく均一に照射することができ、表示パネル１００の大型化に伴う画質低下を防ぐことができる。
【００５４】
また第二の支持手段１１は蛍光管２０３を嵌通させていることから、蛍光管２０３が第二の支持手段１１で支持されて位置が固定されるため、蛍光管２０３から発せられる光の向きを常に安定させることができる。よって、表示パネル１００を安定して照射することができる。
【００５５】
さらに第二の支持手段１１は、前側部分９と後側部分１０とが面接して結合していることから結合作業を迅速に行うことができる。また、前側部分９と後側部分１０を逆に設定して第二の支持手段１１を構成しても良い。
【００５６】
第４の実施の形態：
図４は本発明の第４の実施の形態を示すバックライト装置３０１の要部断面図である。本実施の形態では第１の実施の形態と同じ部分には同じ符号を付し、異なる部分を中心に説明する。本実施の形態では、第二の支持手段１４が、ハウジング２内で前後から面接して結合した前側部分１５と後側部分１６とから構成されており、同一に形成されている。
【００５７】
前側部分１５は後端側が後方へ開口した断面略コ字状に形成されており、断面略コ字を形成している凹部１５１は蛍光管３０３の一方側を嵌通させるように形成されている。さらに凹部１５１の左右側に形成されている後端部１５２、１５２は外側へ向いた断面Ｌ字状に形成されている。
【００５８】
一方、後側部分１６は後端側が前方へ開口した断面略コ字状に形成されており、断面略コ字を形成している凹部１６１は蛍光管３０３の他方側を嵌通させるように形成されている。さらに凹部１６１の左右側に形成されている前端部１６２、１６２は、前側部分１５の後端部１５２、１５２と面接するように内側へ向いた断面Ｌ字状に形成されている。
【００５９】
そして第二の支持手段１４には、前側部分１５と後側部分１６が面接して結合した状態で、両凹部１５１、１６１によって蛍光管３０３を嵌通させる嵌通穴１４ａが形成されており、支持手段１４はこの嵌通穴１４ａに蛍光管３０３を嵌通させて拡散板４の一般部４２を後方から支持している。
【００６０】
かかる構成においては、第一の支持手段であるハウジング２の開口縁部２４（図１参照）と第二の支持手段１４とにより拡散板４全体を支持しているため、表示パネル１００（図１参照）の大型化に伴って拡散板４が大きくなっても拡散板４を平らに保持でき、均一な照射光２００（図１参照）を形成することができる。よって、本実施の形態の拡散板４の支持構造においては、表示パネル１００を大きさに関係なく均一に照射することができ、表示パネル１００の大型化に伴う画質低下を防ぐことができる。
【００６１】
さらに第二の支持手段１４は、前側部分９と後側部分１０とが面接して結合していることから結合作業を迅速に行うことができる。また前側部分９と後側部分１０の結合部分１５２、１５２、１６２、１６２がそれぞれ左右逆の断面Ｌ字状に形成されている。これにより、結合部分１５２、１５２、１６２、１６２の先端部を構成している各突起１５２ａ、１５２ａ、１６２ａ、１６２ａが左右方向で係止されるため、両側部分９、１０が左右にずれてしまうのを防ぐことができる。よって、拡散板４の支持性能を高めることができる。
【００６２】
また第二の支持手段１４は蛍光管３０３を嵌通させていることから、蛍光管３０３が第二の支持手段１４で支持されて位置が固定されるため、蛍光管３０３から発せられる光の向きを常に安定させることができる。よって、表示パネル１００を安定して照射することができる。
【００６３】
また前側部分１５および後側部分１６は前後逆にしただけで同一に形成されているため、支持手段１４の製造にかかる手間を軽減させることができる。よって、支持構造の低コスト化を図ることができる。
【００６４】
第５の実施の形態：
図５は本発明の第５の実施の形態を示すバックライト装置４０１の要部横断面図である。本実施の形態では第１の実施の形態と同じ部分には同じ符号を付し、異なる部分を中心に説明する。本実施の形態では、第二の支持手段１７が、ハウジング２内で前後から面接して結合した前側部分１８と後側部分１９とから構成されており、これらを構成する部材は第１の実施の形態で説明したような透光材から形成されている。
【００６５】
前側部分１８は、図６にも示すように、拡散板４の一般部４２に設けられた挿通穴１８１と、この挿通穴１８１を挟んで一般部４２に左右に相対向して設けられた一対の挿通穴１８２、１８２と、これらの挿通穴１８１、１８２、１８２に挿通されて一般部４２に固定された前側部材とから構成されている。
【００６６】
この前側部材は、挿通穴１８１に挿通されて後端側が後側部分１９に結合した結合部１８３と、この結合部１８３の前端側に結合して一般部４２の前面４２１に固定された固定部１８４と、一対の挿通穴１８２、１８２にそれぞれ挿通されて前端側が固定部１８４に結合するとともに後端側が一般部４２の後面４２２に固定された一対のアーム１８５、１８５とを備えている。
【００６７】
結合部１８３は、後端側が後方へ開口した断面コ字状に形成されており、断面コ字を形成している凹部１８３ａは蛍光管４０３の一方側を嵌通させるように形成されている。また固定部１８４は一般部４２の前面４２１に面接するように平板状に形成されている。また一対のアーム１８５、１８５は、後端側１８５ａ、１８５ａが一般部４２の後面４２２に面接するように断面三角状に形成されている。
【００６８】
一方、後側部分１９は、図６にも示すようにハウジング２の後壁２１に設けられた挿通穴１９１と、挿通穴１９１を挟んで後壁２１に左右に相対向して設けられた一対の挿通穴１９２、１９２と、これらの挿通穴１９１、１９２、１９２に挿通されて後壁２１に固定された後側部材とから構成されている。またこの後側部材および挿通穴１９１、１９２、１９２は、前記前側部材および挿通穴１８１、１８２、１８２と同一に形成されている。
【００６９】
そして前記後側部材は、挿通穴１９１に挿通されて前端側が前側部分１８に結合した結合部１９３と、結合部１９３の後端側に結合して後壁２１の後面２１２に固定された固定部１９４と、一対の挿通穴１９２、１９２にそれぞれ挿通されて後端側が固定部１９４に結合するとともに前端側が後壁２１の前面２１１に固定された一対のアーム１９５、１９５とを備えている。
【００７０】
結合部１９３は前端側が前方へ開口した断面コ字状に形成されており、断面コ字を形成している凹部１９３ａは蛍光管４０３の他方側を嵌通させるように形成されている。したがって第二の支持手段１７には、この結合部１９３と前側部分１８の結合部１８３とが面接して結合した状態で、両凹部１８３ａ、１９３ａにより蛍光管４０３を嵌通させる嵌通穴１７ａが形成されており、支持手段１７はこの嵌通穴１７ａに蛍光管４０３を嵌通させて蛍光管４０３を嵌通させて拡散板４の一般部４２を後方から支持している。
【００７１】
また固定部１９４は後壁２１の後面２１２に面接するように平板状に形成されている。また一対のアーム１９５、１９５は、後壁２１から前方へ垂直に延出して形成されており、前端側１９５ａ、１９５ａが後壁２１の前面２１１に面接するように断面三角状に形成されている。
【００７２】
かかる構成においては、第一の支持手段であるハウジング２の開口縁部２４（図１参照）と第二の支持手段１７とにより拡散板４全体を支持しているため、表示パネル１００（図１参照）の大型化に伴って拡散板４が大きくなっても拡散板４を平らに保持でき、均一な照射光２００（図１参照）を形成することができる。よって、本実施の形態の拡散板４の支持構造においては、表示パネル１００を大きさに関係なく均一に照射することができ、表示パネル１００の大型化に伴う画質低下を防ぐことができる。
【００７３】
さらに第二の支持手段１７は、前側部分１８と後側部分１９とが面接して結合していることから結合作業を迅速に行うことができる。また支持手段１７の構成部材は透光材で形成されているため、蛍光管４０３から発せられた光が支持手段１７で妨げられてしまうことがなく、表示パネル１００に対して均一な照射を確実に行うことができる。
【００７４】
また第二の支持手段１７は蛍光管４０３を嵌通させていることから、蛍光管４０３が第二の支持手段１７で支持されて位置が固定されるため、蛍光管４０３から発せられる光の向きを常に安定させることができる。よって、表示パネル１００を安定して照射することができる。
【００７５】
また前側部分１８および後側部分１９は前後逆にしただけで同一に形成されているため、支持手段１７の製造にかかる手間を軽減させることができる。よって、支持構造の低コスト化を図ることができる。
【００７６】
第６の実施の形態：
図７は、本発明の第６の実施の形態を示すバックライト装置６０１の縦断面図である。本実施の形態では第１の実施の形態と同じ部分には同じ符号を付し、異なる部分を中心に説明する。ハウジング２の側壁２２は図１に示したように後壁２１から前方且つ外側へハ字状に延出して形成されており照度を最大限に強くすることができる。また蛍光管５０３はハウジング２内に延在して形成されている。
【００７７】
そして本実施の形態の拡散板４（図１参照）の支持構造は、第一の支持手段であるハウジング２の開口縁部２４（図１参照）と、ハウジング２の中央部分に設けられた前述の複数の第二の支持手段５、８、１１、１４とを備えている。
【００７８】
第１の実施の形態で説明した第二の支持手段５は、蛍光管５０３、５０３間に複数設けられている。また第２の実施の形態で説明した第二の支持手段８は図７において一番右側の蛍光管５０３を複数で嵌通させて設けられている。また第３の実施の形態で説明した第二の支持手段１１は、図７において真ん中の蛍光管５０３を複数で嵌通させて設けられている。また第４の実施の形態で説明した第二の支持手段１４は、図７において一番左側の蛍光管５０３を複数で嵌通させて設けられている。
【００７９】
かかる構成においては、第二の支持手段５、８、１１、１４は、拡散板４の一般部４２（図１参照）の中央部分を、ハウジング２の後壁２１との間の距離が一定になるように保持しているとともに、拡散板４をハウジング２と平行に保持している。したがって、ハウジング２の開口縁部２４と第二の支持手段５、８、１１、１４とにより拡散板４全体が支持されているため、表示パネル１００（図１参照）の大型化に伴って拡散板４が大きくなっても拡散板４を平らに保持でき、均一な照射光２００（図１参照）を形成することができる。よって、本実施の形態の拡散板４の支持構造においては、前述した支持手段を組み合わせて用いても、表示パネル１００を大きさに関係なく均一に照射することができ、表示パネル１００の大型化に伴う画質低下を防ぐことができる。
【００８０】
なお実施の形態では、拡散板４の周縁部４１を支持する第一の支持手段としてハウジング２の開口縁部２４を適用したが、この他に例えば、ハウジング２の外部に周縁部４１を支持する支持部材を設けても良い。また第二の支持手段に第一の支持手段の機能を追加する、すなわち拡散板４をハウジング２に支持させずに、第二の支持手段のみで拡散板４全体を支持するように構成しても良い。また各実施の形態で説明した第二の支持手段の前側部分と後側部分を別々に組み合わせて用いても良い。
【００８１】
また実施の形態で説明したバックライト装置は、テレビやコンピューターモニタ等の液晶表示パネルの背面に設置しても良く、また液晶表示パネル等の表示パネルの背面側に設置する際には、拡散板４と表示パネルとの間に、拡散シート、プリズムシート、偏光シート等の透光材を設置しても良い。
【００８２】
なお実施の形態で説明した内容は本発明を限定するものではなく、本発明の原則を説明するためのもので、不明確な記述や図は本発明の精神及び範囲を逸脱しない限りにおいては、当業者により少々の変更や修飾を付加したり異なる設計に変えて実施することは可能である。すなわち、ここで述べた構造や外観等は一つの例であり、例えば構造に関係なく同じ機能を有するその他の部材が将来開発されることも意味する。したがって、ここで説明した実施の形態の内容は本発明の構造と概念を理解するためと本技術の促進を助けるために示したものであり、本発明が保護を請求する範囲は特許請求の範囲を基準とする。
【産業上の利用可能性】
【００８３】
以上説明したように本発明の拡散板の支持構造においては、大きさに関係なく表示パネルを均一に照射することができるので、この技術分野で十分に利用することができる。
【図面の簡単な説明】
【００８４】
【図１】本発明の第１の実施の形態を示すバックライト装置の横断面図である。
【図２】本発明の第２の実施の形態を示すバックライト装置の要部横断面図である。
【図３】本発明の第３の実施の形態を示すバックライト装置の要部横断面図である。
【図４】本発明の第４の実施の形態を示すバックライト装置の要部横断面図である。
【図５】本発明の第５の実施の形態を示すバックライト装置の要部横断面図である。
【図６】同実施の形態の拡散板の一般部またはハウジングの後壁の要部平面図である。
【図７】本発明の第６の実施の形態を示すバックライト装置の縦断面図である。
【符号の説明】
【００８５】
２    ハウジング
３    蛍光管
４    拡散板
５    第二の支持手段
６    前側部分
７    後側部分
８    第二の支持手段
９    前側部分
１０    後側部分
１１    第二の支持手段
１１ａ    嵌通穴
１２    前側部分
１３    後側部分
１４    第二の支持手段
１４ａ    嵌通穴
１５    前側部分
１６    後側部分
１７    第二の支持手段
１７ａ    嵌通穴
１８    前側部分
１９    後側部分
２１    後壁
２４    開口縁部
４２    一般部
７１    挿通穴
７２    挿通穴
７３    結合部
７４    固定部
７５    アーム
８１    嵌通穴
９１    挿通穴
９２    挿通穴
９３    結合部
９４    固定部
９５    アーム
１００    表示パネル
１００ａ    背面
１０３    蛍光管
１１１    挿通穴
１１２    挿通穴
１１３    結合部
１１４    固定部
１１５    アーム
１１５ａ    前端側
１３１    挿通穴
１３２    挿通穴
１３３    結合部
１３４    固定部
１３５    アーム
１３５ａ    前端側
１８１    挿通穴
１８２    挿通穴
１８３    結合部
１８４    固定部
１８５    アーム
１８５ａ    後端側
１９１    挿通穴
１９２    挿通穴
１９３    結合部
１９４    固定部
１９５    アーム
１９５ａ    前端側
２０３    蛍光管
２１１    前面
３０３    蛍光管
４０３    蛍光管
４２１    前面
４２２    後面
５０３    蛍光管
７５１    前端側
９５１    後端側
【図１】
2006048038.tif 000003
【図２】
2006048038.tif 000004
【図３】
2006048038.tif 000005
【図４】
2006048038.tif 000006
【図５】
2006048038.tif 000007
【図６】
2006048038.tif 000008
【図７】
2006048038.tif 000009